(57)【要約】      （修正有）【課題】負荷トルクの大小に関わらず、永久磁石同期モータの誘起電圧係数を正確に同定して、モータを高精度に駆動制御する。【解決手段】インバータ２に流れる電流値を検知する電流検知器４と、電流検知器４で検知された電流値を用いてモータ１に供給される電力値を推定する電力推定部９と、電流検知器４で検知された電流値を用いてモータ１のｄ軸電流値及びｑ軸電流値を推定する電流推定部１１と、互いに異なる速度を示す複数の速度指令が出力されたそれぞれのときに、電力推定部９で推定され電力値、電流推定部１１で推定されたｄ軸電流値及びｑ軸電流値を、予め定められた式に代入して、モータ１の誘起電圧係数を同定するＫｅ同定演算部１２ｂと、Ｋｅ同定演算部１２ｂが同定した誘起電圧係数を用いて、インバータ２からモータ１に加える各相の電圧を求める出力電圧指令演算部１５と、を備えている。【選択図】図１
2010098911.tif 000002
【特許請求の範囲】
【請求項１】
永久磁石同期モータの特性を表すモータ定数のうち、少なくとも誘起電圧係数を用いて、インバータから該永久磁石同期モータに印加される電圧を求め、該電圧の指令値を該インバータに送信する出力電圧指令手段を備えている永久磁石同期モータの制御装置において、
前記永久磁石同期モータに流れる電流値を検知する電流検知手段と、
前記電流検知手段で検知された電流値を用いて、前記永久磁石同期モータに供給される電力値を推定する電力推定手段と、
前記電流検知手段で検知された電流値を用いて、前記永久磁石同期モータのｄ軸電流値及びｑ軸電流値を推定する電流推定手段と、
前記出力電圧指令手段が互いに異なる速度を示す複数の速度指令を受けたそれぞれのときに、前記電力推定手段で推定された電力値と、前記電流推定手段で推定されたｄ軸電流値及びｑ軸電流値とを、予め定められた式に代入して、前記永久磁石同期モータの誘起電圧係数を同定する係数同定手段と、
を備え、
前記出力電圧指令手段は、前記インバータから前記永久磁石同期モータに印加される前記電圧を求める際に、前記係数同定手段が同定した前記誘起電圧係数を用いる、
ことを特徴とする永久磁石同期モータの制御装置。
【請求項２】
請求項１に記載の永久磁石同期モータの制御装置において、
前記電流検知手段は、前記インバータのシャント抵抗に流れる電流値を検知する手段である、
ことを特徴とする永久磁石同期モータの制御装置。
【請求項３】
請求項１及び２のいずれか一項に記載の永久磁石同期モータの制御装置において、
前記互いに異なる速度を示す複数の速度指令として、少なくとも二つの速度指令ωr*1，ωr*2を受けたそれぞれのとき、
前記電力推定手段で推定され電力値をPDC1，PDC2とし、
前記電流推定手段で推定されたｄ軸電流値をIdc1，Idcとし、
前記電流推定手段で推定されたｑ軸電流値をIqc1，Iqc2とし、
予め定められていた前記永久磁石同期モータの抵抗値又は抵抗の同定値Rとすると、
前記予め定められた式は、以下の（数１）である、
【数１】
2010098911.tif 000028
ことを特徴とする永久磁石同期モータの制御装置。
【請求項４】
請求項１から３のいずれか一項に記載の永久磁石同期モータの制御装置において、
第一電流推定手段としての前記電流推定手段で推定されたｄ軸電流、又は別途も設けられた第二電流推定手段で推定されたｄ軸電流を、予め定められた式に代入して、前記永久磁石同期モータの抵抗値を同定する抵抗同定手段を備え、
前記出力電圧指令手段は、前記抵抗同定手段で同定された前記抵抗値をさらに用いて、前記インバータから前記永久磁石同期モータに加える電圧を求める、
ことを特徴とする永久磁石同期モータの制御装置。
【請求項５】
請求項４に記載の永久磁石同期モータの制御装置において、
前記第一電流推定手段又は前記第二電流推定手段で推定されたｄ軸電流Idcとし、
ｄ軸の電流指令値をId*とし、
予め定められていた前記永久磁石同期モータの抵抗値をR*とすると、
前記抵抗値を同定する際に用いる前記予め定められた式は、以下の（数２）である、
【数２】
2010098911.tif 000029
であることを特徴とする永久磁石同期モータの制御装置。
【請求項６】
請求項４及び５のいずれか一項に記載の永久磁石同期モータの制御装置において、
前記第二電流推定手段を備え、
前記第二電流推定手段は、前記出力電圧指令手段が直流位置決め用の速度の速度指令を受けたときに前記電力推定手段が推定して前記電力値を用いて、ｄ軸電流値を推定し、
前記抵抗同定手段は、前記第二電流推定手段が推定したｄ軸電流値を用いて、前記抵抗値を同定する、
ことを特徴とする永久磁石同期モータの制御装置。
【請求項７】
請求項１から３のいずれか一項に記載の永久磁石同期モータの制御装置において、
外部から指示に従って、試運転モードか通常運転モードかの指示を出力するモード発生手段と、
前記モード発生手段から前記試運転モードである旨の指示を受け付けると、前記誘起電圧係数の同定のために、前記出力電圧指令出力手段に、互いに異なる速度を示す前記複数の速度指令を異なる時刻に出力し、前記モード発生手段から前記通常運転モードである旨の指示を受けると、該出力電圧指令手段に、該通常運転モードで要求される速度を示す速度指令を出力する速度指令発生手段と、
を備えていることを特徴とする永久磁石同期モータの制御装置。
【請求項８】
請求項６に記載の永久磁石同期モータの制御装置において、
外部から指示に従って、試運転モードか通常運転モードかの指示を出力するモード発生手段と、
前記モード発生手段から前記試運転モードである旨の指示を受け付けると、前記誘起電圧係数の同定のために、前記出力電圧指令出力手段に、互いに異なる速度を示す前記複数の速度指令を異なる時刻に出力し、前記モード発生手段から前記通常運転モードである旨の指示を受けると、該出力電圧指令手段に、該通常運転モードで要求される速度を示す速度指令を出力する速度指令発生手段と、
を備え、
前記速度指令発生手段は、前記通常運転モードで要求される速度の一つとして前記直流位置決め用の速度の速度指令を出力する、
ことを特徴とする永久磁石同期モータの制御装置。
【請求項９】
請求項１から７のいずれか一項に記載の永久磁石同期モータの制御装置において、
前記電力推定手段は、
前記電流検知手段で検知された電流値を平均化するローパスフィルタと、
前記インバータに加える直流電圧の値と、前記ローパスフィルタから出力された平均電流値とを乗算して、前記電力値を求める乗算器と、
を有することを特徴とする永久磁石同期モータの制御装置。
【請求項１０】
請求項８に記載の永久磁石同期モータの制御装置において、
前記電力推定手段は、運転形態又は速度指令に応じて、前記ローパスフィルタの時定数を変える定数変更手段、
を有することを特徴とする永久磁石同期モータの制御装置。
【請求項１１】
請求項９に記載の永久磁石同期モータの制御装置において、
前記定数変更手段は、速度指令値が高速度を示す通常運転の運転形態のときの前記ローパスフィルタの時定数に対して、速度指令値が低速度を示す直流位置決め運転の運転形態のときの前記ローパスフィルタの時定数を大きくする、
ことを特徴とする永久磁石同期モータの制御装置。
【請求項１２】
請求項１から１０のいずれか一項に記載の永久磁石同期モータの制御装置と、
前記インバータとしてのインバータＩＣと、
を備えていることを特徴とする永久磁石同期モータの駆動制御装置。
【請求項１３】
永久磁石同期モータの特性を表すモータ定数のうち、少なくとも誘起電圧係数を用いて、インバータから該永久磁石同期モータに印加される電圧を求め、該電圧の指令値を該インバータに送信する永久磁石同期モータの制御方法において、
前記永久磁石同期モータに流れる電流値を検知する電流検知工程と、
前記電流検知工程で検知された電流値を用いて、前記永久磁石同期モータに供給される電力値を推定する電力推定工程と、
前記電流検知工程で検知された電流値を用いて、前記永久磁石同期モータのｄ軸電流値及びｑ軸電流値を推定する電流推定工程と、
互いに異なる速度を示す複数の速度指令を受けたそれぞれのときに、前記電力推定工程で推定され電力値と、前記電流推定工程で推定されたｄ軸電流値及びｑ軸電流値とを、予め定められた式に代入して、前記永久磁石同期モータの誘起電圧係数を同定する係数同定工程と、
を含み、
前記インバータから前記永久磁石同期モータに加える前記電圧を求める際には、前記係数同定手段が同定した前記誘起電圧係数を用いる、
ことを特徴とする永久磁石同期モータの制御方法。
【発明の詳細な説明】
【技術分野】
【０００１】
本発明は、永久磁石同期モータにインバータから電力を供給して、該永久磁石同期モータを駆動制御する技術に関する。
【背景技術】
【０００２】
従来、永久磁石同期モータに位置センサやトルクセンサを設けずに、このモータを駆動制御する方法として、以下の特許文献１に開示されている方法がある。
【０００３】
この方法では、まず、インバータから永久磁石同期モータに流れる電流を検知し、この電流値からモータのｄ軸電流及びｑ軸電流を同定すると共に、モータの負荷トルクが小さいという前提の下、同定したｄ軸電流及びｑ軸電流を用いて、誘起電圧係数を同定している。そして、これらｄ軸電流、ｑ軸電流及び誘起電圧係数の同定値を用いて、インバータからモータに加える各相の電圧を定めて、このモータを駆動制御している。
【発明の開示】
【発明が解決しようとする課題】
【０００４】
しかしながら、特許文献１に記載の技術では、モータの負荷トルクを実質的に無視できるように、モータの負荷トルクが小さいという前提の下で、誘起電圧係数を同定しているため、負荷トルクが大きい場合には、誘起電圧係数の同定精度が低下し、しいては、モータを高精度に駆動制御することができないという問題点がある。
【０００５】
本発明は、このような従来技術の問題点に着目し、モータに位置センサ等のセンサを設けずに、モータの誘起電圧係数を正確に同定して、モータを高精度に駆動制御することを目的とする。
【課題を解決するための手段】
【０００６】
前記問題点を解決するため、本発明では、
永久磁石同期モータの特性を表すモータ定数のうち、少なくとも誘起電圧係数を用いて、
インバータから該永久磁石同期モータに印加される電圧を求め、該電圧の指令値を該インバータに送信する出力電圧指令手段を備えている永久磁石同期モータの制御装置において、
前記永久磁石同期モータに供給される電流値を検知する電流検知手段と、
前記電流検知手段で検知された電流値を用いて、前記永久磁石同期モータに供給される電力値を推定する電力推定手段と、
前記電流検知手段で検知された電流値を用いて、前記永久磁石同期モータのｄ軸電流値及びｑ軸電流値を推定する電流推定手段と、
前記出力電圧指令手段が互いに異なる速度を示す複数の速度指令を受けたそれぞれのときに、前記電力推定手段で推定され電力値と、前記電流推定手段で推定されたｄ軸電流値及びｑ軸電流値とを、予め定められた式に代入して、前記永久磁石同期モータの誘起電圧係数を同定する係数同定手段と、
を備え、
前記出力電圧指令手段は、前記インバータから前記永久磁石同期モータに加える前記電圧を求める際に、前記係数同定手段が同定した前記誘起電圧係数を用いる、
ことを特徴とする。
【発明の効果】
【０００７】
本発明によれば、永久磁石同期モータの負荷トルクに相関性のあるモータへの供給電力を用いて、誘起電圧係数を同定しているので、モータに対する負荷トルクの大小に関わらず、正確に誘起電圧係数を同定することができる。このように、本発明では、正確に誘起電圧係数を同定しているので、この値を用いて定められる出力電圧指令も的確なものとなり、モータを高精度に駆動制御することができる。
【発明を実施するための最良の形態】
【０００８】
以下、本発明に係る永久磁石同期モータの駆動制御装置の各種実施形態について、図面を用いて説明する。
【０００９】
「第一の実施形態」
図1〜図８を用いて、本発明に係る永久磁石同期モータの駆動制御装置の第一の実施形態について説明する。
【００１０】
本実施形態の駆動制御装置１００は、図４に示すように、交流電源１１１からの交流電力を直流電力に変換する直流電源回路３と、この直流電源回路３の直流電圧を安定化させるためのコンデンサ１８と、直流電源回路３からの直流電力を三相交流電力に変換して、永久磁石同期モータ１に供給するインバータ２と、インバータ２に流れる電流を検知する電流検知器４と、インバータ２が永久磁石同期モータ１に印加する各相の電圧値を示す信号を出力する制御ユニット１7と、これらを搭載する基板１９と、を備えている。
【００１１】
電流検知器４は、図３に示すように、直流電源回路３からインバータ２への直流電力電流経路中に設けられているシャント抵抗を有している。インバータ２と永久磁石同期モータ１とは、各相の交流電力が通る配線１０１で接続されている。
【００１２】
この永久磁石同期モータ（以下、単にモータとする）1は、永久磁石の磁束によるトルク成分と電機子巻線のインダクタンスによるトルク成分を合成したモータトルクを出力する。このモータ１の回転軸には、ファン１０２が取付けられ、このファン１０２の駆動により、このファン１０２から放熱フィン１０３へ送風される。本実施形態では、以上の駆動制御装置１００と、モータ１と、ファン１０２と、放熱フィン１０３とを有して、熱交換器を構成している。なお、ここでは、モータ１及び駆動制御装置１００は、熱交換器の構成要素であるが、本発明はこれに限定されるものではなく、他の装置等の構成要素であってもよいことは言うまでもない。
【００１３】
制御ユニット１７は、マイクロコンピュータで、各種演算を実行するＣＰＵと、各種プログラムや固定データ等が予め記憶されているＲＯＭと、ＣＰＵのワークエリア等になるＲＡＭと、外部との間で信号の入出力を行うインタフェースと、を有している。
【００１４】
この制御ユニット１７は、機能的に、入力装置１１２からの指示に従って各種運転モードの指令を出力する運転モード発生部５と、この運転モード発生部５からの運転モード指令に応じて速度指令を出力する速度指令発生部６と、インバータ２の各相の電圧指令値を生成する電圧指令発生部７と、を有している。これらの各機能部５，６，７は、いずれも、ＣＰＵがＲＯＭに格納されているプログラムを実行することで機能する。なお、ここでは、制御ユニット１５は、一つのマイクロコンピュータで構成されているが、複数のマイクロコンピュータで構成してもよい。
【００１５】
次に、図１を用いて、制御ユニット１７の詳細な機能構成について説明する。
【００１６】
制御ユニット１７の運転モード発生部５は、前述の入力装置１１２（図３）からの指示に応じて、「通常運転モード」あるいは「試運転モード」のいずれかの運転モード指令を出力する。速度指令発生部６は、運転モード発生部５からの運転モード指令に応じて、モータ１の速度の指令である速度指令ωr*を発生する。なお、「*」は、速度や電流等の状態に関するパラメータに付されている場合には、この状態の指令値を示し、抵抗等の不変値に付されている場合には、この不変値の設定値を示す。電圧指令発生部７は、電流検知器４で検出された直流電流IDCに基づいて、モータ１の回転速度ωを推定し、速度指令ωr*に追従するように、モータ１の各相の電圧を制御するためのPWM信号を出力する。
【００１７】
この電圧指令発生部７は、運転モードに応じた各種運転の形態を出力する運転形態発生部８と、インバータ２に供給される直流電力PDCを推定するPDC推定部９と、直流電力PDCに基づいてd軸電流Id及びq軸電流Iqを推定するIdc-DC / Iqc-DC推定部（第二電流推定手段）１０と、インバータ２に供給される直流電流IDCの無効電流Irと有効電流Iaの成分に基づいてd軸電流Id及びq軸電流Iｑを推定するIdc-ar / Iqc-ar推定部（第一電流推定手段）１１と、永久磁石同期モータ１の抵抗値Rと誘起電圧係数Keを同定する同定演算部１２と、d軸電流指令Id*を定めるId*演算部１３と、q軸電流指令Iq*を演算するIq*演算部１４と、インバータ２の各相の出力電圧指令値Vu*，Vv*，Vw*を演算する出力電圧指令演算部１５と、この出力電圧指令値Vu*，Vv*，Vw*に基づいてPWM信号（Pu，Pv，Pw）を発生するPWM信号発生部１６と、を有している。
【００１８】
PDC推定部９は、インバータ２に供給される直流電流IDCを平均化するフィルタ９ａと、このフィルタ９ａからの出力である平均直流電流IDC-LFに基づいて直流電力PDCを求めるPDC演算部９ｂと、を有している。
【００１９】
Idc-DC / Iqc-DC推定部（第二電流推定手段）１０は、運転形態発生部８からの運転形態に基づいて、PDC推定部９からの直流電力PDCの出力先を切替える切替部１０ｃと、後述の通常運転のときの直流電力PDCを用いて、第2のq軸電流Iqc-DCを求めるIqc-DC演算部１０ａと、後述の直流位置決め運転のときの直流電力PDCを用いて、第2のd軸電流Idc-DCを求めるIdc-DC演算部１０ｂと、を有している。
【００２０】
Idc-ar / Iqc-ar推定部１１（第一電流推定手段）は、インバータ２に供給される直流電流IDCを用いて有効電流Ia及び無効電流Irを求めるIa，Ir演算部１１aと、求められた有効電流Ia及び無効電流Irを用いて第1のd軸電流Idc-ar及び第1のq軸電流Iqc-arを求めるIdc-ar / Iqc-ar演算部１１bと、を有している。
【００２１】
同定演算部１２は、第2のd軸電流Idc-DCを用いて、モータ１の抵抗値Rを同定するＲ同定演算部１２ａと、直流電力PDCと第1のd軸電流Idc-arと第1のq軸電流Iqc-arとを用いて、モータ１の誘起電圧係数Keを同定するKe同定演算部１２ｂとを有する。
【００２２】
出力電圧指令演算部１５は、図２に示すように、モータ１の各軸の電圧指令値Vd*，Vｑ*を求めるdq軸電圧指令演算部１５ａと、実際のｄ軸と制御軸（設定ｄ軸）との位相差である磁極位相誤差Δθcを求める軸誤差演算部１５ｂと、実際のｄ軸の速度と制御軸との速度差である速度補正量Δωを求める速度補正量演算部１５ｃと、制御軸の速度ω1を推定する速度推定部（加算部）１５ｄと、制御軸の位相θdcを求める位相推定部（積分部）１５ｅと、各軸の電圧指令値Vd*，Vｑ*を位相θdを用いて、モータ１の各相毎の電圧指令値Vu*，Vv*，Vw*に変換する座標変換部１５ｆとを有している。
【００２３】
なお、制御軸（設定ｄ軸）の位相θdcは、図５に示すように、モータ１が駆動しても回転及び移動することがないα軸を基準にしたものである。また、磁極位相誤差Δθcは、前述したように、実際のｄ軸と制御軸（設定ｄ軸）との位相差である。
【００２４】
次に、制御ユニット１５の各部の動作について説明する。
【００２５】
運転モード発生部５は、前述したように、「試運転モード」を示す運転モード指令と「通常運転モード」を示す運転モード指令のいずれかを出力する。
【００２６】
「試運転モード」を示す運転モード指令が出力された場合、誘起電圧係数Keを同定するため、速度指令発生部６は、少なくとも2以上の異なる速度値を示す速度指令ωr*を順次出力する。例えば、速度指令ωr*1、速度指令ωr*2を順次出力する。
【００２７】
ここで、図６を用いて、「試運転モード」における経過時間に対する速度指令ωr*の変化について説明する。
【００２８】
速度指令ωr*は、例えば、時刻t10では速度指令値ωr*1であり、時刻t11から増加し、時刻t12では速度指令値ωr*2に変化する。このように、「試運転モード」では、少なくとも1回以上の加速または減速が行われ、2以上の異なる速度指令が出力される。
【００２９】
再び、図１に基づいて動作説明をする。
【００３０】
運転モード発生部５から「通常運転モード」を示す運転モード指令が出力された場合、速度指令発生部６は、実運転で必要となる所望の速度指令ωr*を出力する。「通常運転モード」の際に、速度指令発生部６が所望の速度指令ωr*を出力すると、運転形態発生部８は、速度指令ωr*に応じて、運転形態として、以下で説明する、直流位置決め運転、同期運転、通常運転（センサレス制御運転）のいずれかを選択する。
直流位置決め運転
ωr*＝0の停止時に、モータ１にd軸電流Idを流し、モータ１の磁極位置を制御軸に引き付ける。
同期運転
ωr*＝0から速度指令値ωr*を増加させ、モータ１の回転を加速させ、所定のd軸電流Idを流し（q軸電流は０）同期運転状態に移行する（低速領域の運転）。
通常運転（センサレス制御運転）
同期運転から、さらに、速度指令値ωr*を増加させると同時に、d軸電流Idを零に近づけ、代わりにq軸電流Iqを流して、通常運転に移行する（高速領域の運転）。
【００３１】
PDC推定部９では、運転モード、各運転モードでの運転形態に関わらず、インバータ２に供給される直流電流IDCから、このインバータ２に供給される直流電力PDCを推定する。
【００３２】
PDC推定部９のフィルタ９ａでは、以下の（数１）に示す式を用いて、直流電流IDCを平均化して、平均直流電流IDC-LFを求める。
【００３３】
【数１】
2010098911.tif 000003
【００３４】
ここで、Td-F：フィルタ時定数
PDC推定部９のPDC演算部９ｂでは、以下の（数２）に示す式に、平均直流電流IDC-LF及び直流電圧ＶＤＣを代入して、直流電力PDCを求める。
【００３５】
【数２】
2010098911.tif 000004
【００３６】
なお、ここでは、PDC演算部９ｂは、直流電源回路３からインバータ２に供給される直流電力の直流電圧ＶＤＣを予め記憶している。但し、別途、直流電源回路３に、別途電圧計を設け、この電圧計からの出力値を直流電圧ＶＤＣとして用いてもよい。
【００３７】
Idc-DC / Iqc-DC推定部１０は、運転形態に応じて、第2のq軸電流Iqc-DC又は第2のd軸電流Idc-DCを推定する。
【００３８】
Idc-DC / Iqc-DC推定部１０の切替部１０cは、運転形態発生部８が「直流位置決め運転」を選択した場合、PDC推定部９で推定された直流電力PDCをIdc-DC演算部１０ｂへ送る。Idc-DC演算部１０ｂは、以下に示す（数３）により、切替部１０cから送られてきた直流電力PDCと、出力電圧指令演算部１５のdq軸電圧指令演算部１５ａで求められたｄ軸の電圧指令値Vd*と用いて、第2のd軸電流Idc-DCを求める。
【００３９】
【数３】
2010098911.tif 000005
【００４０】
また、切替部１０cは、運転形態発生部８が「通常運転モード」で且つ「通常運転」を選択した場合、さらに、「試運転モード」を選択した場合、PDC推定部９で推定された直流電力PDCをIqc-DC演算部１０ａへ送る。Iqc-DC演算部１０ａは、以下に示す（数４）により、切替部１０cから送られてきた直流電力PDCと、出力電圧指令演算部１５のdq軸電圧指令演算部１５ａで求められたｑ軸の電圧指令値Vｑ*とを用いて第2のq軸電流Iqc-DCを求める。
【００４１】
【数４】
2010098911.tif 000006
【００４２】
なお、以上で示した（数３）及び（数４）については、後ほど詳細に説明する。
【００４３】
Idc-ar / Iqc-ar推定部１１は、フィルタ９ａを通さない直流電流IDCを用いて有効電流Ia，無効電流Irを推定する。Idc-ar / Iqc-ar推定部１１のIa，Ir演算部１１aは、フィルタ９ａを通さない直流電流IDCから、周知の方法で有効電流Ia及び無効電流Irを求める。Idc-ar / Iqc-ar演算部１１bは、Ia，Ir演算部１１aで求められた有効電流Ia及び無効電流Irを用いて、公知の方法で第1のd軸電流Idc-ar及び第1のq軸電流Iqc-arを求める。なお、これら第1のd軸電流Idc-ar及び第1のq軸電流Iqc-arは、後述するように、試運転モードの際に誘起電圧係数Kｅを同定するために使用するので、Idc-ar / Iqc-ar推定部１１は、試運転モードのときのみ動作すればよい。
【００４４】
同定演算部１２は、「通常運転モード」の「直流位置決め運転」の際にはモータ１の抵抗値Rを同定し、「試運転モード」の際にはモータ１の誘起電圧係数Keを同定する。
【００４５】
同定演算部１２のＲ同定演算部１２ａは、以下に示す（数５）により、「通常運転モード」の「直流位置決め運転」の際にIdc-DC演算部１０ｂで求められた第１のd軸電流Idc-DCと、予め自身が記憶していた抵抗の設定値R*と、Id*演算部１３で定められたd軸電流指令Id*とを用いて、モータ１の抵抗の同定値R^を求める。なお、「^」は、同定値を示す。Ｒ同定演算部１２ａは、この同定値R^を新たな抵抗同定値として記憶更新する。Ｒ同定演算部１２ａが記憶した同定値R^は、出力電圧指令演算部１５が出力電圧指令値を演算する際に用いられると共に、自身が次に抵抗同定値を求める際の抵抗の設定値R*としても用いられる。
【００４６】
【数５】
2010098911.tif 000007
【００４７】
また、同定演算部１２のKe同定演算部１２ｂは、以下に示す（数６）により、「試運転モード」の際に、PDC推定部９で推定された速度指令ω1*，ω2*における直流電力PDC1，PDC2と、Idc-ar / Iqc-ar推定部１１で推定された速度指令ω1*，ω2*における第２のd軸電流Idc1，Idc2及び第２のｑ軸電流Iqc1，Iqc2と、予め求められていた抵抗値又は抵抗の同定値Rとを用いて、誘起電圧係数の同定値Ke^を求める。
【００４８】
【数６】
2010098911.tif 000008
【００４９】
なお、以上で示した（数５）及び（数６）については、後ほど詳細に説明する。
【００５０】
Id*演算部１３は、運転モードおよび運転形態に応じて、d軸電流指令Id*を定める。
（１）「通常運転モード」で、「直流位置決め運転」又は「同期運転」の場合
モータ１の磁極位置を制御軸に引き付けるため、Id*演算部１３は、d軸電流指令Id*を正の値に設定する。
（２）「通常運転モード」で、「通常運転（センサレス制御運転）」の場合
Id*演算部１３は、d軸電流指令Id*を正の所定値から0に変化させる。
（３）「試運転モード」の場合
Id*演算部１３は、d軸電流指令Id*を0に設定する。
【００５１】
Iq*演算部１４は、第１のq軸電流Iqc-DCを用いて、運転形態に応じたq軸電流指令Iq*を定める。
（１）「通常運転モード」で、「直流位置決め運転」又は「同期運転」の場合
Iq*演算部１４は、q軸電流指令Iq*を0に設定する。つまり、以下の（数７）で示す指令値に設定する。
【００５２】
【数７】
2010098911.tif 000009
【００５３】
（２）「通常運転モード」で、「通常運転（センサレス制御運転）」の場合，または「試運転モード」の場合
Iq*演算部１４は、以下の（数８）により、自身が予め記憶しているq軸電流指令作成用のフィルタ時定数Tdと第2のq軸電流Iqc-DCとを用いて、q軸電流指令Iq*を定める。
【００５４】
【数８】
2010098911.tif 000010
【００５５】
出力電圧指令演算部１５は、前述したように、出力電圧指令Vu*，Vv*，Vw*を求める。
【００５６】
まず、出力電圧指令演算部１５のdq軸電圧指令演算部１５ａは、以下に示す（数９）により、Ｒ同定演算部１２ａで同定された抵抗の設定値R*と、Ke同定演算部１２ｂで同定された誘起電圧係数の設定値Ke*と、Iｄ*演算部１３で定められたｄ軸電流指令Iｄ*と、Iq*演算部１４で定められたq軸電流指令Iq*と、速度指令発生部６からの速度指令ωr*と、自身が予め保持していたｄ軸インダクタンスの設定値Ld*及びｑ軸インダクタンスの設定値Lq*と、を用いて、モータ１の各軸の電圧指令Vd*，Vｑ*を求める。
【００５７】
【数９】
2010098911.tif 000011
【００５８】
出力電圧指令演算部１５の軸誤差演算部１５ｂは、以下に示す（数１０）により、Ｒ同定演算部１２ａで同定された抵抗の設定値R*と、Ke同定演算部１２ｂで同定された誘起電圧係数の設定値Ke*と、Iｄ*演算部１３で定められたｄ軸電流指令Iｄ*と、Iq*演算部１４で定められたq軸電流指令Iq*と、Idc-DC / Iqc-DC推定部１０で推定された第2のq軸電流Iqc-DCと、後述の速度推定部１５ｄで推定された制御軸の速度ω1と、自身が予め保持していたｄ軸インダクタンスの設定値Ld*及びｑ軸インダクタンスの設定値Lq*と、電圧指令演算部１５ａで定められた電圧指令Vd*，Vｑ*とを用いて、実際のｄ軸と制御軸（設定ｄ軸）との位相差である磁極位相誤差Δθcを求める。
【００５９】
【数１０】
2010098911.tif 000012
【００６０】
速度補正量演算部１５ｃは、以下に示す（数１１）により、軸誤差演算部１５ｂで求められた磁極位相誤差Δθcと、自身が予め保持していたPLLゲインKPLLとを用いて、実際のｄ軸の速度と制御軸との速度差である速度補正量Δωを求める。
【００６１】
【数１１】
2010098911.tif 000013
【００６２】
速度推定部（加算部）１５ｄは、以下の（数１２）に示すように、速度指令発生部６からの速度指令ωr*に、速度補正量（−Δω）を加算して、制御軸の推定速度ω1を求める。
【００６３】
【数１２】
2010098911.tif 000014
【００６４】
位相推定部（積分部）１５ｅは、ｄ軸の推定速度ω1を用いて、以下に示す（数１３）により、制御軸の推定位相θdcを求める。
【００６５】
【数１３】
2010098911.tif 000015
【００６６】
座標変換部１５ｆは、まず、位相推定部１５ｅで求められた制御軸の推定位相θdcを用いて、dq軸電圧指令演算部１５ａで求められた電圧指令Vd*，Vｑ*を、モータ１が駆動しても回転及び移動することがないα，β軸を基準にした電圧指令Vα*，Vβ*に変換する。続いて、以下に示す（数１４）により、電圧指令Vα*，Vβ*を各相毎の電圧指令Vu*，Vv*，Vw*へ座標変換する。
【００６７】
【数１４】
2010098911.tif 000016
【００６８】
PWM信号発生部１６は、出力電圧指令演算部１５からの出力電圧指令Vu*，Vv*，Vw*に基づいて、PWM信号（Pu，Pv，Pw）を発生し、このPWM信号をインバータ２に送る。
【００６９】
インバータ２は、以上で説明した制御ユニット１５からのPWM信号（Pu，Pv，Pw）に従って、直流電源回路３からの直流電力を三相交流電力に変換し、永久磁石同期モータ１に供給する。
【００７０】
次に、本実施形態におけるモータ１の抵抗値Ｒの同定原理、及び誘起電圧係数Keの同定原理について説明する。
【００７１】
まず、抵抗値Rの同定原理について説明する。
【００７２】
モータ１の負荷トルクに対する応答に関して、モータ１の抵抗の設定値R*に誤差が含まれない場合と誤差が含まれる場合（抵抗の設定値R*が実際の抵抗値Rの半分の場合）について図７に示す。図７では、速度指令ωr*通りに駆動しているモータ１に対して、時刻t20にて、負荷トルクを加えている。これによってモータの回転速度ωは振動を生じる（図７の領域A）。このとき、抵抗の設定値R*に誤差が含まれない場合、時間と経過ともに回転速度ωの振動は収まり、モータ１は再び速度指令ωr*通りに駆動される（図７の領域B）。しかし、抵抗誤差が含まれる場合、回転速度ωの振動は増幅し、モータ１は脱調する（図７の領域C）。このように、実際の抵抗値Rとその設定値R*が異なる場合、制御性能が劣化することが知られている。そこで、モータを高精度に駆動するためには、抵抗値Rの同定が必要となる。
【００７３】
本実施形態で提案する抵抗同定は、運転モード発生部５が「通常運転モード」を出力し、且つ運転形態発生部８が「直流位置決め運転」を出力した場合に行われる。
【００７４】
ここで、図８を用いて、「直流位置決め運転」におけるd軸電流Idおよびd軸電流指令Id*の変化について説明する。同図において、d軸電流指令Id*は、時間区間T0では零であり、時間区間T1で増加し、時間区間T2〜T5では一定値に収束している。このとき、時間区間T1において、d軸電流指令Id*が増加するのに伴い、モータ１にd軸電流Idが流れ始める。そして、d軸電流Idが流れる時刻t1以降において、モータ１の磁極位置が制御軸に引きつけられ、直流位置決めが行われる。なお、時間区間T1におけるd軸電流指令Id*の増加方法は、必ずしも、同図に示すように時間に比例させる必要はない。d軸電流指令Id*の増加によってd軸電流Idが流れ始め、モータ１の磁極位置が制御軸へ引き付けられれば、直流位置決めが行われるので、d軸電流指令Id*を例えば二次関数的に増加させてもよい。
【００７５】
さて、同図に示す時間区間T1において、d軸電流Idは、d軸電流指令Id*を追従するように増加する。しかし、抵抗の設定値R*が実際の抵抗値Rと等しくない場合、d軸電流Idは、d軸電流指令Id*と異なる値へと収束する（時間区間T2，T3）。なお、同図の時間区間T2，T3では，d軸電流Idがd軸電流指令Id*よりも小さくなる場合を示しているが、抵抗の設定値R*と真の抵抗値Rの大小関係によっては、その逆の場合も考えられる。しかし、いずれの場合においても、本実施形態は適用可能である。以下では、d軸電流Idが定常状態になる時間区間T3にて、抵抗同定値を算出し、d軸電流Idをd軸電流指令Id*に収束させる方法について示す。
【００７６】
運転形態が「直流位置決め運転」であるとき、Idc-DC / Iqc-DC推定部１０の切換部１０ｃによって、PDC推定部９で推定された直流電力PDCは、Idc-DC演算部１０ｂに送られ、ここで、前述したように、（数３）により、d軸電流Idc-DC が推定される。この（数３）は、以下の考えにより導かれる。
【００７７】
永久磁石同期モータでは、直流電力に関して、（数１５）が成り立つことが知られている。
【００７８】
【数１５】
2010098911.tif 000017
【００７９】
ここで、Vd：d軸電圧，Vq：q軸電圧
また、「直流位置決め運転」時において、モータ１に対するトルク負荷が前述したように零であるとすると、（数１６）に示す式が成り立つ。
【００８０】
【数１６】
2010098911.tif 000018
【００８１】
さらに、直流位置決めにより、磁極位相差が零になるため、（数１７）も成り立つ。
【００８２】
【数１７】
2010098911.tif 000019
【００８３】
以上の（数１６）及び（数１７）を（数１５）に代入し、整理することにより、前述の（数３）が得られる。
【００８４】
Idc-DC演算部１０ｂは、この（数３）を用いて、前述したように、第2のd軸電流Idc-DCを推定する。R同定演算部１２ａは、前述したように、この第2のd軸電流Idc-DC等を（数５）に代入して、Rの同定値R^を演算する。この（数５）は、以下の考えにより導かれる。
【００８５】
定常状態における永久磁石同期モータのモデルでは、以下の（数１８）が成り立つ。
【００８６】
【数１８】
2010098911.tif 000020
【００８７】
ここで、Ld：d軸インダクタンス，Lq：q軸インダクタンス
そして、この（数１８）に（数１６）を代入し、前述の（数９）に同じく前述の（数７）を代入して、d軸電圧Vd及びd軸電圧指令Vd*に着目すると、以下の（数１９）が得られる。
【００８８】
【数１９】
2010098911.tif 000021
【００８９】
この（数１９）を前述の（数１７）に代入すると、以下の（数２０）が得られる。
【００９０】
【数２０】
2010098911.tif 000022
【００９１】
この（数２０）において、d軸電流Idの代わりに、（数３）で示される第2のd軸電流Idc-DCを用いると、（数５）が導かれる。
【００９２】
R同定演算部１２ａは、この（数５）を用いて、図８における時間区間T3にて抵抗の同定値R^を演算し、時刻t4にて抵抗の設定値R*を更新する。すると、時間区間T4にてd軸電流Idはd軸電流指令Id*に追従し、両者は時刻t5以降（時間区間T5）に等しくなる。
【００９３】
すなわち、本実施形態では、「直流位置決め運転」時の特定の状態を利用して、（数３）により、ｄ軸電流Idc-DCを推定する。そして、このｄ軸電流Idc-DCを用いて、同じく「直流位置決め運転」時の特定の状態を利用して、（数５）により、モータ１の抵抗値Rを同定している。
【００９４】
ここで，時間区間T3内の異なる時刻において、抵抗の同定値R^をそれぞれ算出し、それらの平均値を用いて、抵抗の設定値R*を更新することにより、抵抗同定の精度を向上させることも可能である。また、時間区間T3内で連続的に抵抗の同定値R^を算出し続け、その積分値より平均値を求める方式や、フィルタと併用する方式を採用してもよい。
【００９５】
また、以上では、d軸電流Idが定常的になる時間区間T3にて抵抗同定する場合について述べたが、抵抗同定の精度よりも駆動時間の短縮化を重視したい場合には、時間区間T3の代わりに時間区間T1あるいはT2において，抵抗同定を行うことも可能である。
【００９６】
この抵抗同定は、直流位置決めにおいて必ずしも毎回実行する必要はなく、同定値を記憶することにより、適宜省略してもよいことは言うまでもない。
【００９７】
なお、本実施形態では、Idc-ar / Iqc-ar推定部１１でも、ｄ軸電流を推定するが、このIdc-ar / Iqc-ar推定部１１での推定方法は、モータ１の変調率に推定値が影響を受けるため、抵抗同定を実行する際には、モータ１の変調率に推定値が影響を受けないIdc-DC演算部１０ｂで推定されたｄ軸電流Idc-DC、言いかえると、「直流位置決め運転」時に推定されたｄ軸電流を用いる。
【００９８】
次に、誘起電圧係数Keの同定原理について説明する。
【００９９】
誘起電圧係数Keは、抵抗値Rと同様に、その設定値Ke*が異なる場合，制御性能が劣化することが知られている。ゆえに、永久磁石同期モータを高精度に駆動するためには、誘起電圧係数Keの同定が必要である。
【０１００】
本実施形態で提案する誘起電圧係数Keの同定は、「試運転モード」において実行される。
この「試運転モード」時、Idc-DC / Iqc-DC推定部１０の切換部１０ｃにより、PDC推定部９で推定された直流電力PDCは、Iqc-DC演算部１０ａに送られ、ここで、前述したように、（数４）により、q軸電流Iqc-DCが推定される。この電圧指令発生部７は、このq軸電流Iqc-DCに基づいてベクトル制御を実行する。
【０１０１】
「試運転モード」では、図３を用いて前述したように、時間区間T10では速度指令ωr*1が与えられ、時間区間T12〜T14では速度指令ωr*2が与えられている。このとき、ベクトル制御によって、モータ１の回転速度ωは、時間区間T10では速度指令ωr*1と等しくなり、時間区間T11では速度指令と共に増加し、時間区間T12では速度指令ωr*2に収束する方向に向い、時間区間T13では速度指令ω*2と等しくなる。
【０１０２】
この「試運転モード」では、以下に示す方法によって，誘起電圧係数Keの同定が行われる。
【０１０３】
Ke同定演算部１２ｂは、定常状態である時間区間T10，T13における直流電力PDC、第2のd軸電流Idc-ar、第2のq軸電流Iqc-arについて記憶する。記憶する情報としては，同定の精度を重視する場合、各時間区間T10，T13における電流値の積分を時間で除した平均値が望ましいが、同定手法の簡潔性を重視するならば、ある時刻での瞬間値でもよい。
【０１０４】
Ke同定演算部１２ｂは、前述したように、記憶された情報と（数６）を用いて、誘起電圧係数Keの同定を行う。この（数６）は、以下の考えにより導かれる。
【０１０５】
「試運転モード」の際の時間区間T10における定常状態では、以下の（数２１）が成り立つ。
【０１０６】
【数２１】
2010098911.tif 000023
【０１０７】
同様に、時間区間T13における定常状態では、以下の（数２２）が成り立つ。
【０１０８】
【数２２】
2010098911.tif 000024
【０１０９】
ここで、前述の（数１８）を（数１５）に代入することによって、以下の（数２３）が得られる。
【０１１０】
【数２３】
2010098911.tif 000025
【０１１１】
さらに、（数２１）及び（数２２）を（数２３）に代入すると、（数２４）が得られる。
【０１１２】
【数２４】
2010098911.tif 000026
【０１１３】
この（数２４）を整理することにより、以下の（数２５）が得られる。
【０１１４】
【数２５】
2010098911.tif 000027
【０１１５】
この（数２５）の第一行を抽出することにより、前述の（数６）が得られる。
【０１１６】
なお、本発明では、少なくとも2種類以上の速度指令ωr*（ωr*1，ωr*2，…）を与え、それぞれの速度指令（ωr*1，ωr*2，…）に応じた定常状態に達すれば、誘起電圧係数Keの同定は可能であり、速度指令ωr*の加速・減速に関する制限はない。3種類以上の速度指令ωr*を与えた場合には、（数６）による同定演算を繰り返し用いることにより、同定の精度を向上させることが可能である。また，抵抗同定と同様に，同定値の記憶による同定の省略が可能である。
【０１１７】
以上のように、本実施形態では、フィルタ9aを利用して、平均直流電流IDC-LFに基づいてインバータのｄ軸電流Idc-DCを推定しているので、モータ１の変調率に推定値が影響を受けることがない。その上で、本実施形態では、このｄ軸電流Idc-DCを用いて、「直流位置決め運転」時の特定の状態を利用して、モータ１の抵抗値Rを同定しているので、抵抗値Rを正確に同定することができる。
【０１１８】
また、本実施形態では、モータ１の負荷トルクに相関性のあるモータ１への供給電力を用いて、誘起電圧係数Keの同定しているので、モータ１に対する負荷トルクの大小に関わらず、正確に誘起電圧係数Keを同定することができる。
【０１１９】
このように、本実施形態では、正確に、モータ１の抵抗値Ｒ及び誘起電圧係数Keを同定しているので、これらの値を用いて定められる出力電圧指令も的確なものとなり、モータ１を高精度に駆動制御することができる。
【０１２０】
「第二の実施形態」
図９及び図１０を用いて、本発明に係る永久磁石同期モータの駆動制御装置の第二の実施形態について説明する。
【０１２１】
本実施形態の駆動制御装置は、図９に示すように、第一の実施形態に対して、PDC推定部９’が異なっており、その他の構成は第一の実施形態と同様である。
【０１２２】
本実施形態のPDC推定部９’は、インバータ２に供給される直流電流IDCを平均化するフィルタ９’ａと、このフィルタ９’ａからの出力である平均直流電流IDC-LFに基づいて直流電力PDCを求めるPDC演算部９ｂと、運転形態発生部８で選択された運転形態に応じて、フィルタ９’ａの時定数Td-Fを変更する定数変更部９ｃと、を有している。すなわち、本実施形態のPDC推定部９’は、第一の実施形態の本実施形態のPDC推定部９に、定数変更部９ｃを追加したものである。
【０１２３】
この定数変更部９ｃは、運転形態発生部８で選択された運転形態が「直流位置決め運転」で、モータ速度が低速域である場合にはフィルタ時定数Td-Fを大きくし、「通常運転（センサレス制御）」で、モータ速度が高速域である場合にはフィルタ時定数Td-Fを小さくする。この処理により、本実施形態では、以下に示す原理によって、直流位置決め運転時の（数３）によるd軸電流Idの推定精度を向上できることから、モータ1の抵抗の同定値の精度を向上させることができる上に、通常運転時の制御性能の劣化を防止できる。
【０１２４】
まず、直流位置決め運転時において、フィルタ時定数Td-Fを大きくすることによって、（数３）によるd軸電流Idの推定精度を向上できることについて説明する。
【０１２５】
（数２）（数３）に示されるように、d軸電流Idを正確に推定するには、直流電力PDCを正確に推定する必要があり、それには平均直流電流IDC-LFの平均値IDC-LF0を正しく検出する必要がある。
【０１２６】
図１０は、平均直流電流IDC-LFの挙動を示しており、IDC-LOW（点線），IDC-HIGH（実線）は、それぞれフィルタ時定数Td-Fが大きい場合および小さい場合の平均直流電流を示している。同図に示すように、平均直流電流IDC-HIGHに比べて平均直流電流IDC-LOWの方が振動が少ない。これは、後者の方が、フィルタ9'aによって、直流電流IDCが元々有していた振動成分をより大きく取り除かれているからである。また、平均直流電流IDC-LOWおよびIDC-HIGHの平均値は、フィルタ時定数Td-Fに依存しないから、いずれもIDC-LF0で表わされる。IDC-LF0を検出するには，インバータのスイッチングにより決定される所定の時刻t20にて、平均直流電流IDC-LOWまたはIDC-HIGHをサンプリングすればよい。しかし、現実には、サンプリングされる時刻と所定の時刻t20は必ずしも一致せず、これに由来してサンプリングによる検出値と平均値IDC-LF0には差が生じる。このとき、サンプリングする波形が振動的であるほど、その差が大きくなることは明らかである。逆に言えば、平均直流電流IDC-HIGHに比べて振動が抑えられた平均直流電流IDC-LOWをサンプリングする方が、正確な検出値であるIDC-LF0を得られやすいことが分かる。ゆえに、フィルタ時定数Td-Fを大きくすれば、平均直流電流IDC-LFの平均値IDC-LF0をより正確に検出でき、その結果、（数３）によるd軸電流Idの推定精度は向上する。
【０１２７】
フィルタ時定数Td-Fを大きくすると、直流電流IDCに対する平均直流電流IDC-LFの遅れは大きくなる。しかし、（数３）による電流推定が行われているときの運転形態が直流位置決めであり、永久磁石同期モータ１は定常状態にある。ゆえに、フィルタ時定数Td-Fの増加によって生じる平均直流電流IDC-LFの遅れによるデメリットは生じない。
【０１２８】
次に、通常運転時（センサレス制御時）に、フィルタ時定数を小さくすることによって、通常運転時の制御性能の劣化を防止できることについて説明する。
【０１２９】
（数１）（数２）（数４）に示されるように、フィルタ時定数Td-Fが大きい場合、直流電流IDCに対する平均直流電流IDC-LFの遅れは大きくなり、その結果、第2のq軸電流Iqc-DCも実際のq軸電流Iqに対して大きな遅れ持つことになる。これが原因となり、通常運転が行われる高速度域では、特に速度指令あるいは負荷トルクなどが変動している過渡状態において、制御性能の劣化を生じる。そこで、センサレス制御時においては、フィルタ時定数Td-Fを小さくし、q軸電流Iqに対する第2のq軸電流Iqc-DCの遅れを小さくすることにより、制御性能の劣化を防止することが有効となる。
【０１３０】
なお、本実施形態では、定数変更部９ｃは、運転形態発生部８で選択された運転形態に応じてフィルタ時定数Td-Fの大きさを変えているが、速度指令発生部６からの速度指令に応じてフィルタ時定数Td-Fの大きさを変えるようにしてもよい。この場合、定数変更部９ｃは、直流位置決め運転のようにモータ速度が低速域である場合にはフィルタ時定数Td-Fを大きくし、通常運転（センサレス制御）のようにモータ速度が高速域である場合にはフィルタ時定数Td-Fを小さくする。
【図面の簡単な説明】
【０１３１】
【図１】本発明に係る第一の実施形態における永久磁石同期モータの制御装置の構成図である。
【図２】図１中の出力電圧指令演算部１５の詳細構成を示す構成図である。
【図３】本発明に係る第一の実施形態における永久磁石同期モータの駆動制御装置の構成図である。
【図４】本発明に係る第一の実施形態における永久磁石同期モータ及びその駆動制御装置の斜視図である。
【図５】本発明に係る第一の実施形態における各種演算に用いられる各種軸の相互関係を示す説明図である。
【図６】本発明に係る第一の実施形態において、試運転モードにおいて与えられる速度指令パターンと、そのときの実際の速度とを示すグラフである。
【図７】永久磁石同期モータに負荷トルクを加えた場合の回転速度ωの挙動を示すグラフである。
【図８】本発明に係る第一の実施形態において、直流位置決め運転で与えられるd軸電流指令Id*パターンと、そのときの実際のｄ軸電流値とを示すグラフである。
【図９】本発明に係る第二の実施形態における永久磁石同期モータの制御装置の構成図である。
【図１０】平均直流電流の挙動の一例を示すグラフである。
【符号の説明】
【０１３２】
１…永久磁石同期モータ、２…インバータ、３…直流電源、４…直流検出器、５…運転モード発生部、６…速度指令発生部、７…電圧指令発生部、８…運転形態発生部、９，９’…PDC推定部、９ａ，９’ａ…フィルタ、９ｂ…PDC演算部、９ｃ…定数変更部、１０…Idc-DC / Iqc-DC推定部、１０ａ…Iqc-DC演算部、１０ｂ…Idc-DC演算部、１１…Idc-ar / Iqc-ar推定部、１２…同定演算部、１２ａ…R同定演算部、１２ｂ…Ke同定演算部、１３…Id*演算部、１４…Iq*演算部、１５…出力電圧指令演算部、１７…制御ユニット、１００…駆動制御装置、１０２…ファン、１０３…放熱フィン、１１１…交流電源、１１２…入力装置
【図１】
2010098911.tif 000030
【図２】
2010098911.tif 000031
【図３】
2010098911.tif 000032
【図４】
2010098911.tif 000033
【図５】
2010098911.tif 000034
【図６】
2010098911.tif 000035
【図７】
2010098911.tif 000036
【図８】
2010098911.tif 000037
【図９】
2010098911.tif 000038
【図１０】
2010098911.tif 000039